(57)【要約】【課題】インターネット等を介して入力した音声データを組み合わせることで、利用者独自の着信メロディを容易に作成可能とする。【解決手段】複数種類のデータ形式からなる音声データをＲＡＭ１０に記憶し、使用者がＲＡＭ１０に記憶されている音声データを選択すると制御回路３はＲＯＭ９に格納されているプログラムに基づき音声データ再生装置で再生可能なデータ形式に変換しＲＡＭ１０に記憶する。変換された複数の音声データの全てまたは一部の範囲を利用者はキー入力部４を介して選択し、選択された音声データを繋ぎ合わせて一つの音声データとするようにする。【選択図】　　　図１
2004072394.tif 000002
【特許請求の範囲】
【請求項１】
複種類のデータ形式からなる音声データを記憶する記憶手段と、使用者が該記憶手段に記憶されている音声データを選択する選択手段と、該選択手段によって選択された音声データを共通のデータ形式に変換する変換手段と、該変換手段によって変換された音声データの全てまたは一部のデータ範囲を複数選択する範囲選択手段と、該範囲選択手段により選択された音声データを繋ぎあわせることにより音声データを作成する作成手段と、該作成手段によって作成された音声データを再生する再生手段とを備えることを特徴とする音声データ再生装置。
【請求項２】
外部装置から前記記憶手段に前記音声データを入力するデータ入力手段を備えることを特徴とする請求項１記載の音声データ再生装置。
【請求項３】
前記記憶手段は脱着可能であることを特徴とする請求項１または２記載の音声データ再生装置。
【請求項４】
音声データを再生させて着信を報知する電話装置に用いられることを特徴とする請求項１から３何れかに記載の音声データ再生装置。
【発明の詳細な説明】
【０００１】
【発明の属する技術分野】
本発明は音声データ再生装置に係り、特に電話装置の着信音を再生する音声データ再生装置に関する。
【０００２】
【従来の技術】
電話装置の着信音は、かつてはリンガーによって生成される単純なものだけであったが、現在では着信音としてメロディを用いる事ができる機種が一般的である。この種の電話装置の中には予め組み込まれた音声データを用いるだけでなく、利用者の好みに応じて入力された音声データを着信音として用いることができるものもある。
【０００３】
また、近年、電話装置に対して音声データを最初から入力するのではなく、例えばインターネット等を介して音声データが提供され、この提供される音声データを電話装置に入力することによって音声データを最初から入力するより簡単に音声データを変えられるようにしたものもある。提供される音声データは、様々なデータ形式で提供されるため、各利用者が利用する電話装置でその音声データを着信音として用いる場合には、電話装置で再生可能なデータ形式に変換する変換装置を必要とする。
【０００４】
この変換装置（例えばパーソナルコンピュータ）で提供された音声データを自身が利用している電話装置で再生可能なデータ形式に適合させるためには、その提供された音声データを利用者が解析し、その音声データを電話装置固有の形式に変換するためにキーボード等を用いて手動で変換する必要がある。このようにして変換した後の音声データを電話装置に転送して登録することにより初めて着信メロディとして用いることができる。
【０００５】
【発明が解決しようとする課題】
しかしながら、様々なデータ形式を電話装置固有の形式に変換するには上述したように変換装置が必要となるだけでなく、利用者が変換手順を記憶する必要があったり、操作が煩わしいといった問題があった。
【０００６】
また、上述した変換装置を用いることで、様々なデータ形式の音声データを再生可能となったが、着信メロディとして用いることができるのは予め組み込まれた音声データやインターネット等を介して提供され変換された音声データであるため、利用者が独自の着信メロディを用いたいと思った時は、音声データを最初から入力する必要があった。
【０００７】
本発明は、上記の問題点に鑑み、インターネット等を介して入力した音声データを組み合わせることで、利用者独自の着信メロディを容易に作成可能とする。
【０００８】
【課題を解決するための手段】
上記目的を達成するために、本発明に係る電話装置においては、複数種類のデータ形式からなる音声データを記憶する記憶手段と、使用者が該記憶手段に記憶されている音声データを選択する選択手段と、該選択手段によって選択された音声データを共通のデータ形式に変換する変換手段と、該変換手段によって変換された複数の音声データの全てまたは一部のデータ範囲を選択する範囲選択手段と、該範囲選択手段により選択された音声データを繋ぎあわせることにより音声データを作成する作成手段と、該作成手段によって作成された音声データを再生する再生手段とを備える構成とする。
【０００９】
また、上記構成に加え、外部装置から前記記憶手段に前記音声データを入力するデータ入力手段を備える。
【００１０】
また、前記記憶手段は脱着可能とする。
【００１１】
【発明の実施の形態】
以下に本発明を携帯電話装置に適応した実施形態について図面を参照して説明する。図１に本発明に係る携帯電話装置の回路ブロック図である。
【００１２】
アンテナ１が無線部２を介して制御回路３に接続される。そして、キー入力部４、ドライバ回路５、ドライバ回路７、ＲＯＭ（Ｒｅａｄ　Ｏｎｌｙ　Ｍｅｍｏｒｙ）９、ＲＡＭ（Ｒａｎｄｏｍ　Ａｃｃｅｓｓ　Ｍｅｍｏｒｙ）１０、及び外部接続端子１１がＣＰＵ３に接続される。さらに、ドライバ回路５にスピーカ６が接続され、ドライバ回路７に表示装置８が接続される。
【００１３】
制御回路３は、ＲＯＭ９に格納されているプログラムに従い、制御データを格納するＲＡＭ１０を用いて携帯電話装置全体を複合的に制御する。以下、本発明の特徴部分である音声データに関する機能についてのみ説明を行う。
【００１４】
制御回路３は無線部２を介してインターネットに接続し、インターネットのホームページ上で公開されている等の圧縮された音声データをダウンロードし、ＲＡＭ１０に記憶する。
【００１５】
この音声データは図２に示すようなデータ構成よりなる。図示のように、音声データは複数のフレーム（パケット）で構成され、各フレームにはデータの形式等の情報が格納されたヘッダ部２１と、ビット割り当て情報等が格納された情報管理部２２と、データ本体２３とが含まれている。
【００１６】
図３はヘッダ部２１の内訳を示す図である。図示のように、ヘッダ部２１にはＩＤ、レイヤ、保護ビット、ビットレート、およびサンプリング周波数等の情報が格納されている。例えば、ＭＰ３の場合、ＩＤが「１」でレイヤが「０１」であるため、ヘッダ部２１のＩＤには「１」が格納されレイヤには「０１」が格納される。また同様にＡＡＣの場合、ヘッダ部２１のＩＤには「１」が格納され、レイヤには「００」が格納される。したがって、ヘッダ部２１のＩＤとレイヤを検出することにより、音声データのデータ形式を識別することができる。
【００１７】
制御回路３はヘッダ部２１の情報よりＲＯＭ９に記憶されている音声データ変換プログラムに基づき、音声データを携帯電話装置で再生可能なデータ形式に変換しＲＡＭ１０に記憶する。なお、この時、変換前のデータはＲＡＭ１０から消去し、変換後のデータのみをＲＡＭ１０に記憶するようにしてもよいし、変換前後の両データを記憶するようにしてもよい。
【００１８】
次に音声データ変換の動作について説明する。制御回路３は音声データのヘッダ部２１を解析してデータ形式を判別する。上述したように音声データのデータ形式はヘッダ部２１のＩＤとレイヤで判別可能である。
【００１９】
データ形式が判別されると、制御回路３はＲＯＭ９に記憶されているプログラムに基づき変換したい音声データのヘッダ部２１、管理情報部２２、データ本体２３を携帯電話装置で再生可能なデータ形式に変換しＲＡＭ１０に記憶する。例えば、変換したい音声データがＭＰ３であり携帯電話装置で再生可能なデータ形式がＡＡＣの場合、ヘッダ部２１のレイヤを「０１」から「００」へ変換し、データ本体２３をＡＡＣに対応したデータに変換する。
【００２０】
次に変換された音声データを繋ぎ合わせ、音声データを作成する手順について図４のフローチャートを用いて説明する。制御回路３は利用者のキー入力部４の操作によりドライバ回路５を介してスピーカ６を駆動し音声データを再生させ、この時、使用者が再生された音声データを聞きながら切り取りたい範囲の音声データをキー入力部４を操作し指示すると、制御回路３はその範囲の音声データをＲＡＭ１０に記憶する（ステップＳ１）。この時、切り取る音声データはデータ本体２３のデータである。利用者は繋ぎ合わせたい音声データが揃うまでこの操作を繰り返す（ステップＳ２）。そして、使用者のキー入力部４の操作によりＲＡＭ１０より切り出したデータを読み出し、使用者の指示の順番に読み出した音声データを繋ぎ合わせる（ステップＳ３）。そして繋ぎ合わせた音声データをデータ本体２３として、このデータ本体に対応するヘッダ部２１と管理情報部２２を繋ぎ合わせＲＡＭ１０へ新しい音声データとして記憶する（ステップＳ４）。
【００２１】
なお、本実施例では音声データは無線部２を介してインターネットに接続しダウンロードしてＲＡＭ１０に記憶するようにしたが、外部接続端子１１とパソコン等の外部装置とをケーブルで接続して記憶するようにしてもよいし、ＲＡＭ１０を脱着可能とすることで、ＲＡＭ１０をパソコン等の外部装置に接続し外部装置上でＲＡＭ１０へ音声データを記憶するようにしてもよい。
【００２２】
【発明の効果】
本発明によると、複種類のデータ形式からなる音声データを記憶する記憶手段と、使用者が該記憶手段に記憶されている音声データを選択する選択手段と、該選択手段によって選択された音声データを共通のデータ形式に変換する変換手段と、該変換手段によって変換された音声データの全てまたは一部のデータ範囲を複数選択する範囲選択手段と、該範囲選択手段により選択された音声データを繋ぎあわせることにより音声データを作成する作成手段と、該作成手段によって作成された音声データを再生する再生手段とを備えたので、利用者は独自の着信メロディを容易に作成可能である。例えば、「お〜い、電話だよ」という音声データの後に音楽データを繋ぎ合わせ記憶し、着信時に再生するようにしておくことで着信時には使用者独自の着信メロディであるので、使用者は自分の電話装置への着信であることが容易にわかる。
【００２３】
また、外部装置から前記記憶手段に前記音声データを入力するデータ入力手段を備えたので、インターネット以外からも音声データを電話装置に記憶することができ、多くの音声データが選択可能となる。
【００２４】
また、前記記憶手段は脱着可能としたので、外部装置と電話装置をケーブルで等で接続する必要がなく、より手軽に外部装置から電話装置に音声データを取り込むことが可能となる。
【図面の簡単な説明】
【図１】本発明に係る携帯電話装置の回路ブロック図である。
【図２】音声データのデータ構成を示す図である。
【図３】ヘッダ部の内訳を示す図である。
【図４】本発明に係る携帯電話装置の制御回路の動作を示すフローチャート図である。
【符号の説明】
１　　アンテナ
２　　無線部
３　　制御回路
４　　キー入力部
９　　ＲＯＭ
１０　　ＲＡＭ
【図１】
2004072394.tif 000003
【図２】
2004072394.tif 000004
【図３】
2004072394.tif 000005
【図４】
2004072394.tif 000006